(57)【要約】【課題】基礎コンクリートの天端位置やアンカーボルトの位置を簡易にかつ精度よく調整できる高さ調整具を提供する。【解決手段】高さ調整具１０は、長尺の四角柱状で長手方向に貫通する中心孔１２を有する基部１１と、中心孔１２に回転可能にかつ軸方向に移動不能に挿通されて基部１１の両端から延び、一端側に操作部１９が固定され、他端側にドライバー部１８を設けたシャフト部１６とを有する。基部１１の外面に長手方向に続くスケール目盛１４が形成されており、基部１１の外面に外嵌されて長手方向に摺動可能にされると共に任意位置に固定可能にされた位置決め部２４を設ける。【選択図】図１
2018035639.tif 000002
【特許請求の範囲】
【請求項１】
棒状で長手方向に貫通する中心孔を有する基部と、前記中心孔に回転可能にかつ軸方向に移動不能に挿通されて前記基部の両端から延び、一端側に操作部が固定されており、他端側にドライバー部を設けたシャフト部とを有する高さ調整具において、前記基部の外面に長手方向に続くスケール目盛が形成されており、前記基部に外嵌されて長手方向に摺動可能にされると共に任意位置で固定可能にされた位置決め部を設けたことを特徴とする高さ調整具。
【請求項２】
樹脂製の棒状本体と、該棒状本体の一端側にて長手方向に延びた前記ドライバー部を挿嵌するための上挿嵌孔と、該上挿嵌孔を囲んだ周囲の複数箇所にて長手方向に延びたスリットにより分離された複数の取付片からなる軸心方向に弾性変形可能にされた変位部と、該変位部の外周側に嵌め合わされて該変位部を外周側から締め付ける筒状の締付部材とを設け、前記棒状本体の他端側にて長手方向に延びたコンクリートの天端位置を決める天端出し治具の先端部が挿入可能な下挿嵌孔と、該下挿嵌孔を挟んだ両側にて前記棒状本体の長手方向に延びた前記天端出し治具の先端近傍位置に設けた一対の羽根部間に挿嵌されて該羽根部に係止可能にされる一対の挟持片と、前記棒状本体の他端側外周面に配置されてアンカーボルトを端部にて吸着して吊り下げ可能な磁石部とを設けた高さ調整補助具が、一端側にて前記ドライバー部に着脱可能に固定されていることを特徴とする請求項１に記載の高さ調整具。
【請求項３】
前記磁石部の突出面が前記棒状本体の長手方向に対して直角な平坦面になっており、該平坦面が前記下挿嵌孔の底面と面一にされていることを特徴とする請求項２に記載の高さ調整具。
【発明の詳細な説明】
【技術分野】
【０００１】
本発明は、住宅用の基礎コンクリートの天端位置やアンカーボルトの上端位置等の高さを調整するために用いられる高さ調整具に関する。
【背景技術】
【０００２】
従来、この種の高さ調整具としては、特許文献１に示すように、断面が矩形で中空の外囲体と、外囲体内で回転可能に保持される丸棒状の芯シャフトとを備えた位置決め本体と、芯シャフトの下端に設けたドライバー先端部態様の係入部と、上端に設けた操作ディスクと、外囲体の外側に摺動可能に装着されたレベル検出器に連係する受光器付きカーソルとを備えた位置決め具が開示されている。この位置決め具により例えば基礎コンクリートの高さである天端高さを決める場合には、まずカーソル位置が予め基準となる高さ、例えば丁張の高さであるベースから所定高さの位置になるように合わされる。この基準高さを基準として天端高さに相当する位置を計測してペン等で位置決め本体に印を付け、この印にカーソル位置が合わされる。
【０００３】
天端高さ調整には例えば図１０に示すような天端出し治具５０が用いられる。天端出し治具５０は、基礎コンクリートの打設現場において相対向して立設された一対の型枠列間に配設された縦鉄筋の上端側に鉄筋取付部５６にて垂直状態で固定される。天端出し治具５０の上端に、位置決めされた上記位置決め具の係入部を嵌め合わせて回動させることにより調整部５３が上下し、レーザ測量機で受光部位置になるまで高さ調整することにより、天端位置が決められる。
【０００４】
さらに、上記一対の型枠列の間には、例えば型枠間を跨いで両上端に固定される板状のアンカーボルト支持部材が設けられ、その中央取付孔にアンカーボルトが高さ調整された状態で鉛直に挿通され、ねじ止めにより吊り下げられる。このアンカーボルトの高さ調整に際しても、所定高さ位置を計測してペン等で位置決め本体に印を付け、この印にカーソル位置が合わされる。アンカーボルトの上端に上記位置決め具を真直ぐになるように繋ぎ合せて手で持って重ね合わせ、位置決め具に取り付けられた受光部にレーザ測量機からのレーザ光を照射することにより高さ調整が行われる。高さ調整後は、位置決めされたアンカーボルトを手で持ったままで位置決め具のみを外して横に置き、アンカーボルトがネジで締められてアンカーボルト支持部材に吊り下げられる。
【０００５】
しかし、上記位置決め具については、天端高さ位置及びアンカーボルト位置を予め定規等で測って決め、その位置をマジックなどで印を付け、その印にカーソルを合わせる作業を一々行う必要があり非常に手間であった。また、上記天端位置とアンカーボルトの上端高さは通常一定の関係にあるにもかかわらず、両者の高さを位置決め具にて別々に決めなければならないという無駄な作業も必要であった。
【先行技術文献】
【特許文献】
【０００６】
【特許文献１】特開平７−１８９４８９号公報
【発明の概要】
【発明が解決しようとする課題】
【０００７】
本発明は、上記問題を解決しようとするもので、基礎コンクリートの天端位置やアンカーボルトの位置等を簡易にかつ精度よく調整できる高さ調整具を提供することにある。
【課題を解決するための手段】
【０００８】
上記目的を達成するために本発明の構成上の特徴は、棒状で長手方向に貫通する中心孔を有する基部と、中心孔に回転可能にかつ軸方向に移動不能に挿通されて基部の両端から延び、一端側に操作部が固定されており、他端側にドライバー部を設けたシャフト部とを有する高さ調整具において、基部の外面に長手方向に続くスケール目盛が形成されており、基部に外嵌されて長手方向に摺動可能にされると共に任意位置で固定可能にされた位置決め部を設けたことにある。
【０００９】
上記のように構成した発明においては、基礎コンクリート形成現場において予め基準となる丁張り高さ等に位置決め部を合わせておき、基準高さに対して決められた規定の天端高さについて、基部に対してスケール目盛を見ながら位置決め部を移動させて位置合わせしておく。この状態で、ドライバー部の先端を型枠間の鉄筋に取り付けられた天端出し治具の上端ねじ孔に合わせ、基部を手で持って操作部を回動させることにより、レーザ測量機等を用いて高さ調整具の規定の高さ位置に合わせることができ、天端高さが決められる。その結果、本発明においては、スケール目盛を見ながら簡単にかつ精度よく天端高さを決めることができるので、作業が簡略にされる。アンカーボルトの高さ調整についても同様に行われる。
【００１０】
また、本発明において、樹脂製の棒状本体と、棒状本体の一端側にて長手方向に延びたドライバー部を挿嵌するための上挿嵌孔と、上挿嵌孔を囲んだ周囲の複数箇所にて長手方向に延びたスリットにより分離された複数の取付片からなる軸心方向に弾性変形可能にされた変位部と、変位部の外周側に嵌め合わされて変位部を外周側から締め付ける筒状の締付部材とを設け、棒状本体の他端側にて長手方向に延びたコンクリートの天端位置を決める天端出し治具の先端部が挿入可能な下挿嵌孔と、下挿嵌孔を挟んだ両側にて棒状本体の長手方向に延びた天端出し治具の先端近傍位置に設けた一対の羽根部間に挿嵌されて羽根部に係止可能にされる一対の挟持片と、棒状本体の他端側外周面に配置されてアンカーボルトを端部にて吸着して吊り下げ可能な磁石部とを設けた高さ調整補助具が、一端側にてドライバー部に着脱可能に固定されていることが好ましい。
【００１１】
本発明によれば、上挿嵌孔にドライバー部の先端側を挿嵌し、変位部の外側から締付部材によって変位部を締め付けることにより、ドライバー部を高さ調整補助具の変位部にて簡易にかつ強固に固定することができ、さらに高さ調整具からの高さ調整補助具の取り外しも簡単になる。これにより、天端出し治具の先端部を下挿嵌孔に挿嵌して先端羽根を挟持片で挟むことができ、高さ調整具を回動させることにより、天端高さを簡単に決めることができる。また、磁石部にアンカーボルトの一端を吸着させることにより、磁石部によってアンカーボルトを吊り下げることができる。そのため、高さ調整具による高さ調整機構を用いることにより、高さ調整補助具による天端高さ調整やアンカーボルト高さ調整を簡便に行うことができる。
【００１２】
また、本発明において、磁石部の突出面が棒状本体の長手方向に対して直角な平坦面になっており、平坦面が下挿嵌孔の底面と面一にされていることが好ましい。これにより、天端高さを決めたときに磁石の平坦面の高さが天端高さに一致しているため、この天端高さを基準としたアンカーボルトの先端高さについて、スケール目盛を見ながら位置決め部を移動させることにより簡単にかつ精度よく決めることができ、その後、磁石部にアンカーボルトを吊り下げることにより、アンカーボルトの高さを簡単にかつ精度よく決めることができる。
【発明の効果】
【００１３】
本発明においては、基部に対してスケール目盛を見ながら位置決め部を移動させることにより、簡単に位置合わせすることができるため、基礎コンクリートの天端高さ調整やア
ンカーボルトの高さ調整等の作業を、従来に比べて簡易にかつ精度良く行うことができる。
【図面の簡単な説明】
【００１４】
【図１】本発明の一実施例である高さ調整具を示す一部破断正面図である。
【図２】高さ調整具を示す右側面図である。
【図３】高さ調整具を拡大して示す拡大平面図である。
【図４】高さ調整具を拡大して示す拡大底面図である。
【図５】高さ調整具に高さ調整補助具を取り付けた状態の一部を説明する一部破断面図である。
【図６】高さ調整具に用いる高さ調整補助具を示す一部破断正面図である。
【図７】高さ調整補助具を示す右側面図である。
【図８】高さ調整補助具を示す平面図である。
【図９】高さ調整補助具を示す底面図である。
【図１０】天端出し治具を示す（ａ）正面図及び（ｂ）平面図である。
【図１１】高さ調整補助具を天端出し治具に装着した状態を説明する側面側から見た説明図である。
【図１２】高さ調整補助具を天端出し治具に装着した状態を説明する底面側から見た説明図である。
【図１３】高さ調整補助具が取り付けられた高さ調整具を用いた基礎コンクリートの天端高さの調整作業を説明するための説明図である。
【図１４】高さ調整補助具が取り付けられた高さ調整具を用いたアンカーボルトの高さ調整作業を説明するための説明図である。
【図１５】高さ調整具による（Ｉ）基準高さ、（ＩＩ）天端高さ、（ＩＩＩ）アンカーボルト高さの関係を説明する説明図である。
【発明を実施するための形態】
【００１５】
以下、本発明の実施の形態について図面を用いて説明する。図１〜図４は、一実施例であるコンクリートの天端高さやアンカーボルトの高さを調整するために用いられる高さ調整具１０を一部破断正面図、右側面図、拡大平面図及び拡大底面図により示したものである。なお、以下の説明において、高さ調整具１０の上下，前後方向については、図１の上下，前後に合わせるものとする。
【００１６】
高さ調整具１０は、図１、図４に示すように、真直の棒状の部材であり、アルミニウム製の中空な四角柱状の長尺の基部１１と、基部１１の長手方向に貫通する中心孔１２に回動可能に挿通される長尺棒状のシャフト部１６とを同軸状に設けている。基部１１は、下端側に止部１３を設けている。また、基部１１は、正面及び背面に長手方向の全長にわたってスケール目盛１４が刻み込まれている。シャフト部１６は、基部１１より長い円柱形のアルミニウム製の本体部１７と、本体部１７の下端から同軸状に延びた本体部１７より小径で長さが短い鉄製のドライバー部１８と、本体部１７の上端に一体で設けた円盤部２１とを設けており、円盤部２１の上面には円板状の水準器２２が同軸で取り付けられている。水準器２２の表面中央には気泡の位置の目安となる円形マーク２２ａが記されている。円盤部２１と水準器２２の上面の一部に、ゴム製のカバー２３が被せられており、これらを合わせた操作部１９になっている。シャフト部１６は、円盤部２１と基部１１の下端に設けた上記止部１３とに挟まれて基部１１に対して回動可能かつ長手方向に移動不能に配設されている。
【００１７】
基部１１の外壁面には、アルミニウムあるいは樹脂製の薄肉で長尺四角形筒状の位置決め部２４が、基部１１を囲んで嵌め合わされて長手方向に摺動可能にされており、任意の位置でボルト２７により締め付け固定されている。位置決め部２４は、正面側に長手方向
に沿って延びた長方形の窓２５を設けており、また正面、背面、左右両側面の上下中間位置にライン２６が水平に付けられている。窓２５によって背後のスケール目盛１４を視認可能になっており、ライン２６と合わせて長さ寸法を決めることができる。位置決め部２４の側壁には、後述するレーザ測量機２８の受光部２９が取り付け可能になっている。本実施例においては、図５に示すように、高さ調整具１０のドライバー部１８に、この高さ調整具１０の高さ調整機能の一層効果的な運用を可能にする高さ調整補助具３０が一体で取り付けられている。
【００１８】
高さ調整補助具３０は、図６〜図９に示すように、樹脂製で棒状の棒状本体３１と、その一端側（図６の上端側）外周面に被せられる樹脂製で円筒状の締付部材４６とを設けている。棒状本体３１は、円柱形の下側部３２と、下側部３２の上面３２ａから同軸状に延びた円筒状の下側部３２より小径の上側部３９と、下側部３２の右外周面３２ｃ側に一体で設けられた円柱状の磁石取付部３５とを備えている。下側部３２と磁石取付部３５は、両者の軸方向が互いに平行になっている。下側部３２の底面３２ｂの中心には、下挿嵌孔３３が軸方向に円柱形状に凹んで設けられて、下側部３２の軸方向のほぼ中間まで延びている。また、下側部３２は、底面３２ｂの左右両側において軸方向下方に突出した一対の挟持片３４を一体で設けている。挟持片３４は、底面３２ｂの外周縁に沿って中心角略７０°で円弧状に湾曲すると共に径方向に所定の厚みを有する厚板である。
【００１９】
磁石取付部３５は、上面が下側部３２の上面３２ａと面一になっており、軸方向長さが下側部３２の軸方向長さの半分弱となっている。磁石取付部３５は、底面３５ａ側から同軸状に円柱状に凹んだ取付孔３６を設けており、取付孔３６には磁石取付部３５と共に磁石部を構成する円柱形の磁石３７が挿嵌固定されるようになっている。磁石３７は、強力な磁力を有するネオジウム磁石等である。図６に示すように、磁石３７は磁石取付部３５の底面３５ａからわずかに突出しており、磁石３７の突出面３７ａが下挿嵌孔３３の底面３３ａと面一になっている。
【００２０】
上側部３９は、上端側がわずかに先細の円筒形状で、上端面の中心から底部近傍まで軸方向に延びた円柱形の上挿嵌孔４１を同軸的に設けている。図８に示すように、上挿嵌孔４１の底面４１ａには、高さ調整具１０のドライバー部１８の頭部を差し込む十字形の差込孔４１ｂが設けられている。また、上側部３９は、上挿嵌孔４１を囲んだ前後及び左右位置において上下方向に切欠かれて上挿嵌孔４１の底面４１ａ近傍まで達する幅の狭い４本のスリット４２を設けている。上側部３９は、４本のスリット４２によって互いに分離された軸方向上下に延びた４個の取付片４４を設けている。この４本のスリット４２と分離された４個の取付片４４により変位部４３が構成されている。各取付片４４は、先端側の外周が先端に向けてわずかに傾斜した傾斜部４４ａになっており、傾斜部４４ａの下方の外周面には軸方向に沿ってねじ溝４５が形成されている。変位部４３の外周側に、上側部３９と共に固定部を構成する締付部材４６が嵌め合わされる。
【００２１】
締付部材４６は、図６、図７に示すように、樹脂製の薄肉の円筒形状で、上側の軸方向長さが全体の略１／３を占める上端に向けて軸心方向にわずかに傾斜した円錐台形の傾斜筒部４７と、下側の円筒形の嵌合筒部４８とを一体で設けている。傾斜筒部４７の上端側の内径は、上側部３９のねじ溝４５部分の外径より小さくなっている。嵌合筒部４８は、外径が下側部３２の外径と同一であり、内径は上側部３９の外径と同等であり、内周面には上側部３９のねじ溝４５に螺合されるねじ孔部４９を設けている。締付部材４６は、上側部３９に嵌め合わせて、ねじ孔部４９をねじ溝４５に螺合させることにより、上側部３９に取り付けられる。
【００２２】
つぎに、高さ調整具１０への高さ調整補助具３０の取り付けについて、図５により説明する。高さ調整具１０のドライバー部１８を上側部３９の上挿嵌孔４１に挿嵌して頭部を
差込孔４１ｂに差し込んだ状態で、締付部材４６の嵌合筒部４８のねじ孔部４９をねじ溝４５に螺合させて回動させる。これにより、傾斜筒部４７が、上側部３９の４個の取付片４４に径方向内方への押圧力を加えて変形させることができ、変位部４３を縮径させるようになっている。その結果、ドライバー部１８が４個の取付片４４によって締め付けられて、高さ調整具１０が上側部３９に強固に固定される。このように、本実施例によれば、高さ調整補助具３０の棒状本体３１の上挿嵌孔４１に高さ調整具１０のドライバー部１８先端側を挿嵌し、変位部４３の外側から締付部材４６によって上側部３９を締め付けることにより、高さ調整具１０を上側部３９に簡易にかつ強固に固定することができ、さらに高さ調整具１０の上側部３９からの取り外しも簡単である。
【００２３】
つぎに、高さ調整具１０に固定された高さ調整補助具３０の、コンクリートの天端高さ調整に使用される天端出し治具５０への取付けについて説明する。天端出し治具５０としては、例えば図１０に示すようなものが一般的に使用されている。この天端出し治具５０は、樹脂製で長尺棒状の本体５１と、本体５１の上端側に螺着されて上下動可能にされている丸棒状の調整部５３と、本体５１の下端に固定されている円環状の鉄筋取付部５６とを設けている。本体５１は、上半分が下半分より太く、図示しないねじ孔を有する取付部５２になっている。
【００２４】
調整部５３は、外周面の上端から所定寸法離れた箇所にて径方向の両方に対称に広がる三角板状の一対の羽根部５４を設けており、羽根部５４の下側の外周面に軸方向に延びたねじ部５５を設けている。調整部５３は、ねじ部５５により上記取付部５２に上下に移動可能に螺着されている。調整部５３は、上端がコンクリートの天端を合わせる第１基準面になっており、上端面にはドライバー部１８の頭部を嵌め合わせ可能な取付溝５３ａを設けている。羽根部５４は、レベラーを流し込むための基準となる第２基準面を表すものである。鉄筋取付部５６は、本体５１の下端側の周方向一箇所にて軸方向を本体５１の長手方向に揃えて一体で取り付けられた円筒状であり、半円弧形に延びて先端内側に係止内爪５７ａを有する第１締付片５７と、第１締付片５７の反対側に半円弧形に延びて先端外側に係止外爪５８ａを有する第２締付片５８を設けている。鉄筋取付部５６は、第１締付片５７と第２締付片５８で鉄筋を囲んで嵌め合わせて、係止内爪５７ａを係止外爪５８ａに係止させることにより、鉄筋に強固に締め付け固定される。
【００２５】
図１１，図１２に示すように、鉄筋（図示しない）に鉛直に固定された天端出し治具５０の本体５１が、高さ調整具１０に固定された高さ調整補助具３０の下側部３２に設けた下挿嵌孔３３に挿嵌され、下側部３２の底面３２ｂに当接した一対の羽根部５４間に一対の挟持片３４を嵌め合わせることにより、羽根部５４が挟持片３４に係止される。そのため、高さ調整具１０の操作部１９を回動させることにより、羽根部５４も一体となって回動する。その結果、調整部５３が上下動することにより、天端出し治具５０の天端高さ調整が簡易に行われる。
【００２６】
つぎに、高さ調整具１０を用いた天端出し治具５０による天端高さの設定例について、図１３，図１５により説明する。住宅用の基礎コンクリートの打設現場において相対向して立設された一対の型枠列１間に立設された縦鉄筋２の上端側に天端出し治具５０が鉄筋取付部５６にて固定される。天端出し治具５０の本体５１が高さ調整具１０に固定された高さ調整補助具３０の下挿嵌孔３３に挿嵌され、一対の羽根部５４が挟持片３４間に挟まれる。高さ調整具１０の位置決め部２４の位置は、予め基準となる高さＫ、例えば丁張の高さである２５０ｍｍになるように合わされている。この基準高さＫを基準として、位置決め部２４をスライドさせることにより、天端高さ例えば基準高さＫから１５０ｍｍ下の位置Ｋ１になるように合わされる。位置決め部２４に取り付けられた受光部２９による基準高さＫと天端高さＫ１の関係と、レーザ測量機２８による調整については、図１５に概略的に示す。この状態で、高さ調整具１０の操作部１９を回動させることにより天端出し
治具５０の調整部５３が上下し、レーザ測量機２８からのレーザ光が受光部２９位置になるまで高さ調整することにより、天端位置が決められる。
【００２７】
つぎに、高さ調整具１０を用いたアンカーボルトの高さの設定例について、図１４，図１５により説明する。高さ調整具１０の位置決め部２４の天端高さに相当する位置Ｋ１を基準として、位置決め部２４をスライドさせることにより、アンカーボルト６１の上端位置に相当する位置Ｋ２に位置決め部２４が位置合わせされる。本実施例においては、磁石３７の突出面３７ａが下挿嵌孔３３の底面３３ａと面一になっており、天端高さを決めたときに磁石３７の突出面３７ａの高さが天端高さに一致している。そのため、この天端高さＫ１を基準として、予め決められている天端高さとアンカーボルトの先端高さの差である例えば１００ｍｍ上の位置Ｋ２に位置決め部２４を移動させることにより、高さ調整具１０によってアンカーボルトの高さを簡単に決めることができる。高さ調整具１０の位置決め部２４に取り付けられた受光部２９による天端高さＫ１とアンカーボルト高さＫ２の関係と、レーザ測量機２８による調整については、図１５に概略的に示す。
【００２８】
図１４に示すように、一対の型枠列１間に取付部５と支持基部６と挟持部７を有するアンカーボルト支持部材４が配置され、一方の型枠列１の上端に取付部５側にてねじで固定されている。支持基部６の背面側にはアンカーボルト６１を挟んで支持可能な挟持部７が配設されている。支持基部６の長手方向に延びたスリット６ａには、挟持部７のボルト７ａが差し込まれて前面側に突出しており、ボルト７ａには締付用のナット８が螺着されている。鉛直にされたアンカーボルト６１が、挟持部７と支持基部６背面側に挟まれた状態でナット８を締め付けることにより支持基部６に固定されるようになっている。アンカーボルト６１が挟持部７に挟まれた状態で、高さ調整補助具３０が取り付けられた高さ調整具１０とアンカーボルト６１とを手で持ち、棒状本体３１の下端側に設けた磁石３７にアンカーボルト６１の端部を吸着させて吊り下げる。
【００２９】
この状態でアンカーボルト６１を吊り下げた高さ調整具１０を上下させながら、レーザ測量機２８を用いて高さ調整具１０に取り付けられた受光部２９の位置Ｋ２になるまで高さ調整されることにより、アンカーボルト６１が規定高さにされる。高さが決められた後、挟持部７のボルト７ａをナット８で締め付けることにより、アンカーボルト６１がアンカーボルト支持部材４に位置決め固定される。その後、アンカーボルト６１から高さ調整具１０及び高さ調整補助具３０が取り外される。その結果、本実施例によれば、高さ調整具１０を上下させるのみで、天端出し治具５０の天端高さ調整作業や、アンカーボルト６１の位置決め作業を従来に比べて簡易にかつ精度良く行うことができる。また、高さ調整具１０がアルミニウム等で作られて軽量であるため、上記高さ調整作業の負担が軽減される。
【００３０】
なお、上記実施例においては、高さ調整具１０の上端の操作部１９に水準器２２が一体で設けられているが、これに代えて水準器のみを基部１１に取り付けることも可能である。また、上記実施例のアンカーボルト支持部材４に代えて、中央の取付孔にアンカーボルトが挿入され、高さ調整された後にアンカーボルトに螺着されたナットで位置決めするようなアンカーボルト支持部材であってもよい。
【００３１】
なお、上記実施例においては、高さ調整具１０の高さ調整機能の一層円滑な運用を可能にする高さ調整補助具３０が一体で取り付けられているが、必要に応じて高さ調整補助具３０を除き高さ調整具１０のみでの実施も可能である。この場合は、高さ調整具１０のドライバー部１８を天端出し治具５０の上端の取付溝５３ａに嵌め合わせることにより、天端高さの調整が可能になる。
【００３２】
また、上記実施例においては、高さ調整補助具３０は、下側部の外周側に磁石取付部を
設けているが、これに代えて磁石取付部を下側部の底部に設けることも可能である。さらに、上記実施例においては、高さ調整補助具３０は、磁石３７の突出面３７ａが下挿嵌孔３３の底面３３ａと面一になっているが、これに限らない。
【００３３】
また、上記実施例に示した高さ調整補助具については、図１０に示したものに限らず、長尺棒の一端側に細い丸棒を取り付けたもので、丸棒を上挿嵌孔に挿嵌固定できるものであってもよい。その他、上記実施例に示した高さ調整具、高さ調整補助具の各部の構造については一例であり、本発明の主旨を逸脱しない範囲において種々変更して実施することが可能である。
【符号の説明】
【００３４】
１０…高さ調整具、１１…基部、１４…スケール目盛、１６…シャフト部、１８…ドライバー部、１９…操作部、２４…位置決め部、２５…窓、２６…ライン、２９…受光部、３０…高さ調整補助具、３１…棒状本体、３２…下側部、３３…下挿嵌孔、３４…挟持片、３５…磁石取付部、３７…磁石、３９…上側部、４１…上挿嵌孔、４２…スリット、４３…変位部、４４…取付片、４５…ねじ溝、４６…締付部材、４９…ねじ孔部、５０…天端出し治具、５１…本体、５３…調整部、５４…羽根部、６１…アンカーボルト。
【図１】
2018035639.tif 000003
【図２】
2018035639.tif 000004
【図３】
2018035639.tif 000005
【図４】
2018035639.tif 000006
【図５】
2018035639.tif 000007
【図６】
2018035639.tif 000008
【図７】
2018035639.tif 000009
【図８】
2018035639.tif 000010
【図９】
2018035639.tif 000011
【図１０】
2018035639.tif 000012
【図１１】
2018035639.tif 000013
【図１２】
2018035639.tif 000014
【図１３】
2018035639.tif 000015
【図１４】
2018035639.tif 000016
【図１５】
2018035639.tif 000017